(57)【要約】【課題】  発信者番号通知サービスにより提供される発信者側の情報に対応した応答拒否を行うレベルを簡易な操作によって予め設定することができるとともに、応答時における迷惑電話対策を行うことが可能な電話機を提供すること。【解決手段】  本実施形態の親機１００は、他の電話機による発信に基づいて着信があった際に呼出を行う親機１００親機呼出音拡声部２４０と、呼出時または通話時の少なくとも何れか一方に通話拒否を行う応答態様に切り換えるためにのみ用いる設定キー２０２を有する親機操作部２００と、呼出時または通話時の少なくとも何れか一方に操作部によって応答態様が通話拒否の応答態様に切り換えられた際に、当該着信に対して当該通話拒否を行う応答態様を実行する親機ＤＳＰ１７０と、を備える構成を有している。【選択図】  図１
2006237993.tif 000002
【特許請求の範囲】
【請求項１】
他の電話機による発信に基づいて着信があった際に呼出を行う呼出手段と、
呼出時または通話時の少なくとも何れか一方に通話拒否を行う応答態様に切り換えるためにのみ用いる設定キーを有する操作手段と、
前記呼出時または通話時の少なくとも何れか一方に前記操作手段によって応答態様が前記通話拒否の応答態様に切り換えられた際に、当該着信に対して当該通話拒否を行う応答態様を実行する応答手段と、
を備えることを特徴とする電話機。
【請求項２】
請求項１に記載の電話機において、
前記応答手段が、
呼出時または通話時の少なくとも何れか一方に前記操作手段によって応答態様が前記通話拒否の応答態様に切り換えられた際に、前記他の電話機との通信回線を確立する確立手段と、
前記通信回線が確立された後に、予め設定されたメッセージを送信する送信手段と、
前記メッセージの送信後に確立された通信回線を切断する切断手段と、
を有することを特徴とする電話機。
【請求項３】
請求項１に記載の電話機において、
前記応答手段が、
呼出時または通話時の少なくとも何れか一方に前記操作手段によって応答態様が前記通話拒否の応答態様に切り換えられた際に、前記他の電話機との通信回線を確立する確立手段と、
前記通信回線が確立された後に、予め設定されたメッセージを送信する送信手段と、
前記メッセージの送信後に前記他の電話機から送信された音声を受信して音声データとして記憶手段に記録する記憶制御手段と、
を有することを特徴とする電話機。
【請求項４】
請求項１乃至３の何れか一項に記載の電話機において、
呼出時に、発信された電話機の電話番号または当該電話機の種別の少なくとも何れか一方の情報を示す発信電話機情報を受信する受信手段と、
呼出時または通話時の少なくとも何れか一方に、受信された前記発信電話機情報を通知する通知手段と、
を更に備えることを特徴とする電話機。
【請求項５】
請求項４に記載の電話機において、
前記受信手段が前記発信された電話機の電話番号を前記発信電話機情報として受信する場合に、
呼出時または通話時の少なくとも何れか一方に、前記設定キーによって応答態様が前記通話拒否の応答態様に切り換えられた際に、前記通話拒否を行う電話番号を有する電話機として、受信された前記電話番号の情報を記憶手段に記憶する記憶制御手段を更に備えることを特徴とする電話機。
【請求項６】
他の電話機の発信に基づく着信に対して応答態様を変化させて応答を行う電話機であって、
着信時に着信された前記他の電話機の電話番号を示す番号情報または当該電話機の種別を示す種別情報の少なくとも何れか一方の情報を有する発信電話機情報を受信する受信手段と、
所定の電話番号を有する電話機または所定の種別に属する電話機の少なくとも何れか一方における発信に基づく着信に対して通話拒否の応答態様を行う設定に予め設定するためにのみ用いる設定キーを有する操作手段と、
前記設定キーによって前記通話拒否の応答態様を行う電話機が予め設定され、他の電話機の発信に基づいて着信が行われた場合に、受信された前記発信電話機情報に基づいて、前記通話拒否の応答態様を行うか否かを決定する決定手段と、
前記通話拒否を行うことが決定された場合に、予め定められた前記通話拒否を行う応答態様によって前記着信に対する応答を行う応答手段と、
を備えることを特徴とする電話機。
【請求項７】
請求項６に記載の電話機において、
前記応答手段が、
前記決定手段によって前記通話拒否を行うことが決定された場合に、前記他の電話機との通信回線を確立する確立手段と、
前記通信回線が確立された後に、予め設定されたメッセージを送信する送信手段と、
前記メッセージの送信後に確立された通信回線を切断する切断手段と、
を有することを特徴とする電話機。
【請求項８】
請求項７に記載の電話機において、
前記応答手段が、
前記決定手段によって前記通話拒否を行う応答態様に決定された場合に、前記他の電話機との通信回線を確立する確立手段と、
前記通信回線が確立された後に、予め設定されたメッセージを送信する送信手段と、
前記メッセージの送信後に前記他の電話機から送信された音声を受信して音声データとして記憶手段に記録する記憶制御手段と、
を有することを特徴とする電話機。
【請求項９】
請求項６乃至８の何れか一項に記載の電話機において、
前記発信電話機情報に基づいて発信された電話機を２種類以上の種別に特定することができる場合に、
前記設定キーのキー操作に応じて、着信時に通話拒否の応答態様を行う電話機の種別の設定を切り換える切換手段を更に備え、
前記決定手段が、他の電話機から発信に基づいて着信が行われた場合に、受信された前記発信電話機情報と前記設定キーによって設定された話拒否の応答態様を行う電話機の種別とに基づいて、当該通話拒否の応答態様を行うか否かを決定をすることを特徴とする電話機。
【請求項１０】
請求項６乃至９の何れか一項に記載の電話機において、
前記受信手段によって前記発信された電話機における電話番号の通知の有無を示す通知情報を前記発信電話機情報として受信される場合に、
前記決定手段が、
前記設定キーによって通話拒否の応答態様に設定され、他の電話機に基づく着信が行われた際に、前記発信電話機情報に基づいて前記発信された電話機における電話番号の通知の有無を識別する識別手段と、
前記発信された電話機における電話番号が非通知であると識別された場合に、前記通話拒否の応答態様を行うことを決定する応答決定手段と、
を有することを特徴とする電話機。
【請求項１１】
請求項６乃至９の何れか一項に記載の電話機において、
前記受信手段によって、前記発信された電話機が公衆電話機であるか否かを示す電話機の種別を示す情報が、前記発信電話機情報として受信される場合に、
前記決定手段が、
前記設定キーによって前記通話拒否の応答態様に設定され、他の電話機に基づく着信が行われた際に、前記発信電話機情報に基づいて前記発信された電話機が公衆電話機であるか否かを識別する識別手段と、
前記発信された電話機が公衆電話機であると識別された場合に、前記通話拒否の応答態様を行うことを決定する応答決定手段と、
を有することを特徴とする電話機。
【請求項１２】
請求項６乃至９の何れか一項に記載の電話機において、
前記受信手段によって、前記発信された電話機が国内の電話機であるか否かを示す電話機の種別を示す情報が、前記発信電話機情報として受信される場合に、
前記決定手段が、
前記設定キーによって前記通話拒否の応答態様に設定され、他の電話機に基づく着信が行われた際に、前記発信電話機情報に基づいて前記発信された電話機が国内の電話機であるか否かを識別する識別手段と、
前記発信された電話機が国内の電話機であると識別された場合に、前記通話拒否を行う応答態様を実行することを決定する応答決定手段と、
を有することを特徴とする電話機。
【請求項１３】
請求項６乃至９の何れか一項に記載の電話機において、
前記受信手段によって発信された電話機の電話番号が前記発信電話機情報として受信される場合に
予め複数の前記電話番号情報が記憶される記憶手段を更に備え、
前記決定手段が、
前記通話拒否を行う応答態様に設定され、他の電話機に基づく着信が行われた際に、前記発信電話機情報に基づいて前記発信された電話機の電話番号が前記記憶手段に記憶されているか電話番号情報と一致するか否かを識別する識別手段と、
前記発信された電話機の電話番号が前記記憶手段に記憶されている電話番号情報の何れとも一致しない場合に、前記通話拒否を行う応答態様を実行することを決定する応答決定手段と、
を有することを特徴とする電話機。
【発明の詳細な説明】
【技術分野】
【０００１】
本発明は、着信時に行われる所定の応答機能を有する電話機に関する。
【背景技術】
【０００２】
近年、いたずら電話、セールスに関する電話または勧誘に関する電話など迷惑電話対策として、着信側の電話機に発信者側の電話機に割り当ててある電話番号を通知し、ユーザが応答する前に発信者を特定することのできるサービス（以下、「発信者番号通知サービス」という。）が提供されている。特に、最近では、的確に迷惑電話を防止するため、電話機の表示部に発信者番号通知を行うだけでなく、当該発信者番号通知サービスを利用し、着信時に迷惑電話を識別して応答拒否を行う電話機（以下、「応答拒否機能付き電話機」という。）が実用に供されている。
【０００３】
従来、このような応答拒否機能付き電話機は、着信時に、発信者番号通知サービスにより提供される情報に基づいて、当該発信者番号通知の有無または発信者側の電話機の種別を判断し、発信者の番号が通知されていない場合、または、発信者側の電話機が予め設定された種別に該当する場合には、所定のメッセージを送出し、発信先の電話機との回線を切断するようになっている（例えば、非特許文献１）。
【非特許文献１】パイオニア株式会社製  コードレス電話機（ＴＦ−ＳＶ５３０）の取扱説明書
【発明の開示】
【発明が解決しようとする課題】
【０００４】
しかしながら、上述の応答拒否機能付き電話機にあっては、ユーザがその使用態様に応じて応答拒否を行う場合の設定を予め行う必要があるため、ユーザにとっては、その設定が煩雑で、容易に行うことができず、迷惑電話対策として有効な当該機能が使用されない場合も多い。また、このような応答拒否機能付き電話機にあっては、一度応答をしてしまうと、当該機能を働かせることができず、応答した場合における迷惑電話対策を講じて欲しいという要望も多い。
【０００５】
そこで、本発明は、上記の課題の一例を解決するものとして、発信者番号通知サービスにより提供される発信者側の情報に対応した応答拒否を行うレベルを簡易な操作によって予め設定することができるとともに、応答時における迷惑電話対策を行うことが可能な電話機を提供することにある。
【課題を解決するための手段】
【０００６】
上記の課題を解決するために、本願に係る請求項１に記載の発明は、他の電話機による発信に基づいて着信があった際に呼出を行う呼出手段と、呼出時または通話時の少なくとも何れか一方に通話拒否を行う応答態様に切り換えるためにのみ用いる設定キーを有する操作手段と、前記呼出時または通話時の少なくとも何れか一方に前記操作手段によって応答態様が前記通話拒否の応答態様に切り換えられた際に、当該着信に対して当該通話拒否を行う応答態様を実行する応答手段と、を備える構成を有している。
【０００７】
また、本願に係る請求項６に記載の発明は、他の電話機の発信に基づく着信に対して応答態様を変化させて応答を行う電話機であって、着信時に着信された前記他の電話機の電話番号を示す番号情報または当該電話機の種別を示す種別情報の少なくとも何れか一方の情報を有する発信電話機情報を受信する受信手段と、所定の電話番号を有する電話機または所定の種別に属する電話機の少なくとも何れか一方における発信に基づく着信に対して通話拒否の応答態様を行う設定に予め設定するためにのみ用いる設定キーを有する操作手段と、前記設定キーによって前記通話拒否の応答態様を行う電話機が予め設定され、他の電話機の発信に基づいて着信が行われた場合に、受信された前記発信電話機情報に基づいて、前記通話拒否の応答態様を行うか否かを決定する決定手段と、前記通話拒否を行うことが決定された場合に、予め定められた前記通話拒否を行う応答態様によって前記着信に対する応答を行う応答手段と、を備える構成を有している。
【発明を実施するための最良の形態】
【０００８】
次に、本願に好適な実施の形態について、図面に基づいて説明する。
【０００９】
なお、以下に説明する実施の形態は、着信時にユーザが応答することなく所定のメッセージの送出および受信した音声を記憶する留守番電話機能（以下、単に「留守番電話機能」という。）を有するとともに、発信者番号通知サービスに対応する複数の子機を備えた無線通信式（コードレス）電話機について本願の電話機を適用した場合の実施形態である。
【００１０】
まず、図１〜図３を用いて本実施形態における電話機の一実施形態について説明する。なお、図１は、本実施形態における電話機の親機の構成を示すブロック図であり、図２は、本実施形態における電話機の親機の概観斜視図である。また、図３は、本実施形態における電話機の子機の構成を示すブロック図である。
【００１１】
本実施形態の電話機は、電話公衆網回線に接続され、留守番電話機能を有する親機１００と、当該親機１００を介して電話公衆網回線に接続されるとともに、留守番電話機能その他の親機１００が有する機能に関して遠隔操作を行う複数の子機３００と、から構成され、他の電話機との通話を行うとともに、無線通信方式によって親機１００と子機３００、または、子機３００間の通信を行うようになっている。
【００１２】
本実施形態の親機１００は、図１に示すように、検波回路１１０を介して相手先の電話機との通信回線の確立よび切断を行うための制御を行う回線制御回路１２０と、他の電話機の発信に基づく着信を検出する着信検出部１３０と、電話公衆網回線を介して発信された他の電話機との通話経路を形成する通話回路１４０と、発信時に電話公衆網回線に対して所定の信号を送出するダイヤル発信部１５０と、を備えている。
【００１３】
また、この親機１００は、受話信号その他の所定の信号を無線方式によって子機３００と送受信する親機無線送受信部１６０と、受信された相手先の電話機から送信された音声信号その他の信号（以下、「受話信号」という。）および当該他の電話機に送信する音声信号その他の信号（以下、「送話信号」という。）の音声処理を行うとともに、モデムとしての機能を有する親機ＤＳＰ（Digital Signal Processor）１７０と、発信された電話機が有する電話番号その他の情報を表示する親機表示部１８０と、当該親機表示部１８０の表示制御を行う親機表示制御部１９０と、を備えている。
【００１４】
さらに、この親機１００は、当該親機１００における各種の操作を行うために用いる各種のキーを有する親機操作部２００と、受話信号の信号レベルを増幅する親機受話信号用増幅器２１０と、通話中に送話する音声の入力および受話された音声の拡声を行う親機送受話器２２０と、親機送受話器２２０から出力された信号（以下、「送話信号」という。）を増幅する親機送話信号用増幅器２３０と、呼出時に呼出音を拡声する親機呼出音拡声部２４０と、留守番電話機能を有するとともに、所定の処理を行う際に各部を制御し、呼出時、着信時および待機時に通話拒否の応答制御を行う親機制御部２５０と、各部の動作時に必要な各種のデータが記憶される親機ＲＯＭ／ＲＡＭ２６０と、を備えている。
【００１５】
なお、例えば、本実施形態における通話回路１４０は、本発明の応答手段および確立手段を構成し、親機ＤＳＰ１７０は、本実施形態の応答手段、送信手段、切断手段、受信手段、記憶手段および切断手段を構成する。また、例えば、本実施形態の親機操作部２００は、本発明の操作手段を構成し、親機表示部１８０は、本発明の通知手段を構成する。さらに、例えば、本実施形態の呼出音拡声部２４０は、本発明の呼出手段を構成し、親機制御部２５０は、記憶制御手段、切断手段および決定手段を構成する。
【００１６】
着信検出部１３０は、図示しない電話公衆網回線と接続されている外線接続端子Ｌと接続されており、外線着信信号を検出するためのリング回路を有している。この着信検出部１３０は、他の電話機の発信に基づいて外線接続端子Ｌに外線着信信号が入力されると、この入力された外線着信信号を検出するようになっており、当該外線着信信号を検出すると、外線着信信号を検出した旨の情報（以下「外線着信情報」という。）を親機制御部２５０に出力するようになっている。
【００１７】
回線制御回路１２０は、外線着信信号が入力されると、親機制御部２５０の制御に基づいて、図示しない交換機との通信回線の確立および切断を行うための制御を行うようになっている。特に、この回線制御回路１２０は、外線着信号が入力されると、交換機と種々の信号の送受信を行い、電話公衆網回線を介して交換機と通信回線の接続制御を行うようになっており、交換機と通信回線の確立後に、入力された呼出信号を親機制御部２５０に出力するとともに、入力された発信者番号に関する信号を、通話回路１４０を介して親機ＤＳＰ１７０に出力するようになっている。
【００１８】
また、この回線制御回路１２０は、通話時に、外線接続端子Ｌに入力された受話信号を、通話回路１４０を介して親機ＤＳＰ１７０に出力するとともに、通話回路１４０から出力された送話信号を、外線接続端子Ｌを介して電話公衆網回線に出力するようになっている。そして、この回線制御回路１２０は、発信時に、交換機と電話公衆網回線を介して通信回線を確立し、後述するようにダイヤル発信部１５０から出力された所定の信号を交換機に送信するようになっている。
【００１９】
通話回路１４０は、システム制御部の制御の下、交換機との通信回線の確立後に入力された呼出信号に基づいて呼出が行われ、当該呼出に対して受話を開始するなど応答が開始された際に、発信された他の電話機との通話経路を形成するようになっており、受信された受話信号の利得調整をしつつ、当該受話信号を親機ＤＳＰ１７０に出力するとともに、送話信号の利得調整を行いつつ、当該送話信号を回線制御回路１２０に出力するようになっている。
【００２０】
ダイヤル発信部１５０は、親機制御部２５０の制御の下、使用する通信回線に応じてＰＢ（Push Button）回線あるいはＤＰ（Dial Pulse）回線（10pps/20pps）を選択し、親機操作部２００の押下に対応して、ＤＴＭＦ（Dual-Tone Multi-Frequency）信号またはＤＰ（Dial Pulse）信号を、回線制御回路１２０を介して電話公衆網回線に出力するようになっている。
【００２１】
親機無線送受信部１６０は、子機３００に受話信号その他の必要な信号を送信する送信部と、子機３００から送信された送話信号その他の必要な信号を受信する受信部と、送信部および受信部を制御する制御部と、を備え、マルチチャンネルアクセス方式によって子機３００との無線通話回路１４０を形成するようになっている。
【００２２】
特に、親機無線送受信部１６０は、子機３００と他の電話機との通話路が形成されている場合に、親機ＤＳＰ１７０から出力された受話信号を所定の周波数に変調して子機３００に送信するとともに、子機３００から送信された所定の周波数にて変調された送話信号を復調し、親機ＤＳＰ１７０に出力するようになっている。また、この親機無線送受信部１６０は、送信と受信において異なる周波数を用いる復信方式によって同時に信号の送信と受信を行うようになっており、当該親機１００における親機無線送受信部１６０の指示に基づいて子機３００を制御して子機３００との通信を行うようになっている。
【００２３】
親機ＤＳＰ１７０には、親機送受話器２２０から出力された送話信号、または、親機無線送受信部１６０にて受信して復調された子機送受話器４２０から出力された送話信号と、通話回路１４０から出力された受話信号と、が入力されるようになっている。この親機ＤＳＰ１７０は、入力された送話信号および受話信号に対して所定の音声処理を行いつつ、親機無線送受信部１６０または親機送受話器２２０に出力するようになっている。
【００２４】
また、この親機ＤＳＰ１７０は、モデム機能を有しており、受信された発信者番号に関する信号を発信者番号データまたは種別データに変換し、当該変換された発信者番号データを親機制御部２５０に出力するようになっている。
【００２５】
さらに、この親機ＤＳＰ１７０は、後述するように、留守番電話機能による応答（以下、「留守番電話応答」という。）時に、親機制御部２５０の指示に基づいて親機ＲＯＭ／ＲＡＭ２６０に記憶されている所定のメッセージを読み出して送出するとともに、メッセージ送出後に受信された受話信号を親機ＲＯＭ／ＲＡＭ２６０に記憶するようになっている。
【００２６】
親機表示部１８０は、例えば、液晶表示素子またはＥＬ（Electro Luminescence）素子から構成される表示画面を有し、親機表示制御部１９０によって生成された表示データを表示するようになっている。
【００２７】
親機表示制御部１９０は、親機制御部２５０の指示に基づいて親機表示部１８０に表示すべき表示データを生成し、当該生成された表示データを表示出力するようになっている。特に、この親機表示制御部１９０は、後述するように、親機制御部２５０にて生成された発信者の電話番号を示すデータ（以下、「電話番号データ」という）と、親機ＲＯＭ／ＲＡＭ２６０に予め登録された発信者名を示すデータ（以下、「発信者名データ」という。）と、発信された電話機が公衆電話機である場合にその旨を示すデータ（以下、「公衆電話機種別データ」という。）と、当該電話機が国際電話など国外からの電話機である場合にその旨を示すデータ（以下、「国外電話機種別データ」という。）と、発信者の電話番号が非通知である旨を示すデータ（以下、「非通知データ」という。）と、に基づいて、各データを表示するための表示データを生成し、親機表示部１８０に出力するようになっている。
【００２８】
なお、国外電話機種別データとは、例えば、表示圏外を示すデータをいい、国際電話だけでなく、船舶電話および所定の電車の車内からの電話であることを示すデータをも含む。
【００２９】
また、この親機表示制御部１９０は、上述の親機制御部２５０にて生成されたデータの他に、日付や現在時刻を示す時間情報、および、後述するように留守番電話機能によって記憶されたメッセージの有無を示す情報（以下、「メッセージ通知情報」という。）を親機表示部１８０に表示させるためのデータを生成して当該親機表示部１８０に出力するようになっている。
【００３０】
親機操作部２００には、例えば、図２に示すように、発信する際に電話番号を入力するために用いられるダイヤルキー２０１と、待機時、呼出時または通話時に通話拒否を行う応答態様に設定するためにのみ用いられる設定キー２０２と、着信に対する応答を行う際にオンフックを行うために用いられるオンフックキー２０３と、留守番電話機能その他の機能の設定または電話機の操作を行うために用いられるキー（以下、「その他のキー」という。）２０４と、が設けられている。
【００３１】
特に、この設定キー２０２は、待機時には、通話拒否を行う応答態様の設定とその解除を行う際に用いられるとともに、当該通話拒否を行う応答態様の切り換える際に用いられるようになっている。また、この設定キー２０２は、呼出時または通話時に、通話拒否を行う応答態様の設定を行う際に用いられるようになっている。
【００３２】
なお、本実施形態の設定キー２０２の操作と当該操作に対する設定およびその動作の詳細については後述する。また、本実施形態において、待機時とは、親機１００の電源が投入されており、他の電話機からの発信に基づく着信を待機している状態を示し、呼出時とは、当該他の電話機からの発信が行われており、呼出音が鳴動している状態を示す。そして、通話時とは、他の電話機との通話路が形成され、通話を行っている状態を示す。
【００３３】
親機受話信号用増幅器２１０には、親機ＤＳＰ１７０から出力された受話信号が入力されるようになっており、この親機受話信号用増幅器２１０は、入力された受話信号を所定の信号レベルに増幅し、親機送受話器２２０に設けられたスピーカＳＰに出力するようになっている。
【００３４】
親機送受話器２２０は、親機１００本体に着脱自在に設けられているとともに、親機受話信号用増幅器２１０によって増幅された受話信号の拡声を行うスピーカＳＰと、ユーザによって発話された音声を入力するためのマイクロホンＭと、を有し、通話中に送話する音声の入力および受信された受話信号の拡声を行うようになっている。なお、本実施形態では、後述するように、親機送受話器２２０が親機１００本体からの着脱および装着される際に、回線制御回路１２０および通話回路１４０と連動するようになっている。
【００３５】
親機操作信号用増幅器２３０には、マイクロホンＭに入力された音声が送話信号として入力されるようになっており、この親機操作信号用増幅器２３０は、入力された送話信号を所定の信号レベルに増幅し、親機ＤＳＰ１７０に出力するようになっている。
【００３６】
親機呼出音拡声部２４０は、呼出音を所定の信号レベルに増幅するための電力増幅器ＡＭＰと、呼出音を拡声するためのスピーカＳＰと、から構成され、親機制御部２５０の制御の下、呼出信号が入力された際に、所定の呼出音を拡声するとともに、オンフック状態に切り換えられた際に、受信された受話信号を拡声するようになっている。
【００３７】
親機制御部２５０は、主に中央演算処理装置（ＣＰＵ）によって構成されるとともに、親機１００の全般的な機能を総括的に制御するようになっている。この親機制御部２５０は、親機ＲＯＭ／ＲＡＭ２６０に格納される制御プログラムを読み出して各処理を実行し、当該親機ＲＯＭ／ＲＡＭ２６０に処理中のデータを一時的に保持するようになっている。
【００３８】
特に、この親機制御部２５０は、他の電話機の発信に基づく通信回線の確立制御（以下、単に「回線制御」という。）、留守番応答の制御（以下、「留守番応答制御」という。）、発信者の電話番号その他の情報を生成する処理（以下、単に「生成処理」という。）、および、後述するように設定キー２０２の設定に基づいて通話拒否の応答を行う制御（以下、「通話拒否応答制御」という。）を行うようになっている。
【００３９】
なお、本実施形態の親機制御部２５０における上述の回線制御、留守番応答制御、生成処理、および、通話拒否応答制御の詳細については、後述する。
【００４０】
親機ＲＯＭ／ＲＡＭ２６０には、所定の動作を行う際の制御プログラムの他に、電話番号と電話番号に対応する名称が対応付けられた電話帳データと、留守番電話応答用の送出メッセージと、留守番電話応答時に記憶された音声データと、待機時の通話拒否態様の状態を示す通話拒否状態データと、が記憶されている。また、この親機ＲＯＭ／ＲＡＭ２６０には、話帳のデータの登録時に必要な各種の辞書データ等のデータなどの各種のデータが記憶されている。
【００４１】
なお、本実施形態では、後述するように、通話拒否の態様によって送出するメッセージを変更するようになっており、この親機ＲＯＭ／ＲＡＭ２６０には、各種のメッセージデータが記憶されている。
【００４２】
一方、本実施形態の子機３００は、図２に示すように、子機無線送受信部３６０と、子機ＤＳＰ３７０と、子機表示部３８０と、子機表示制御部３９０と、子機操作部４００と、子機受話信号用増幅器４１０と、子機送受話器４２０と、子機送話信号用増幅器４３０と、子機呼出音拡声部４４０と、子機制御部４５０と、子機ＲＯＭ／ＲＡＭ４６０と、を備えている。
【００４３】
なお、例えば、子機ＤＳＰ３７０は、本実施形態の応答手段、送信手段、切断手段、受信手段、記憶手段および切断手段を構成し、子機表示部３８０は、本発明の通知手段を構成する。また、例えば、本実施形態の子機操作部４００は、本発明の操作手段を構成し、子機呼出音拡声部４４０は、本発明の呼出手段を構成する。さらに、例えば、子機制御部４５０は、記憶制御手段を構成する。
【００４４】
また、親機１００と同じ名称を有する各部は、基本的には、親機１００の各部と同様の構成および動作を行うようになっているため、特に以下に説明しない限り、その構成および動作については説明を省略する。
【００４５】
次に、本実施形態における親機制御部２５０の構成およびその動作については説明する。なお、子機３００制御部は、各部の制御においては親機制御部２５０を介して行う他は、親機制御部２５０と同様の構成を有するため、その説明を省略する。
【００４６】
本実施形態の親機制御部２５０には、着信検出部１３０にて着信信号が検出された旨を示す外線着信情報が入力されるようになっており、当該入力された外線着信情報に基づいて、回線制御回路１２０を制御して交換機との通信回線を確立するようになっている。そして、この親機制御部２５０は、親機送受話器２２０における親機１００本体からの着脱および装着を検出するようになっており、当該親機送受話器２２０における親機１００本体からの着脱および装着に基づいて、通話回路１４０を制御して、発信された電話機との通話路の形成および切断を行うようになっている。また、この親機制御部２５０は、発信時には、親機送受話器２２０が親機１００本体から着脱されると、交換機との通信回線を確立させ、ダイヤル発信部１５０から出力された所定の信号を交換機に出力させるようになっている。
【００４７】
一方、この親機制御部２５０は、呼出検出部によって着信が検出された際に、所定回数の呼出音を鳴動させても、親機送受話器２２０による着脱が検出されない場合、または、オンフックボタンによって応答操作が行われない場合には、通話回路１４０を制御して、発信された電話機との通話路を形成させるとともに、親機ＤＳＰ１７０の内部に格納されている所定のメッセージを送出させる留守番電話応答を実行するようになっている。そして、この親機制御部２５０は、メッセージ送出後に受話信号を音声データとして親機ＲＯＭ／ＲＡＭ２６０に記憶するようになっており、当該音声データとして記憶している際に、所定の記憶時間経過後、または、無音区間や切断信号などの所定の信号を検出すると、確立された他の電話機との通話路を切断させるとともに、交換機との回線を切断させるようになっている。
【００４８】
なお、この親機制御部２５０は、留守番電話応答時に音声データを記憶する記憶量がないなど所定の場合に、当該音声データを記憶することなく、確立された他の電話機との通話路および交換機との通信回線を切断させるようになっている。また、この親機制御部２５０は、後述するように、通話拒否の態様によって留守番電話応答を実行する際に送出するメッセージを変更するようになっている。
【００４９】
他方、この親機制御部２５０は、上述のように、親機ＤＳＰ１７０から出力され発信者番号データに基づいて、電話番号データ、発信者名データ、非通知データ、公衆電話機種別データおよび国外電話機種別データを生成し、当該生成したデータを表示制御部に出力するようになっている。
【００５０】
具体的には、本実施形態の親機制御部２５０は、発信者番号データが入力されると、親機ＲＯＭ／ＲＡＭ２６０を検索し、同一の電話番号のデータを検索するようになっている。そして、この親機制御部２５０は、同一の電話番号のデータが存在する場合には、当該電話番号のデータに関連付けて記憶されている登録者名を発信者名データとして表示制御部に出力するとともに、同一の電話番号のデータ存在しない場合には、入力された発信者番号データを電話番号データとして表示制御部に出力するようになっている。
【００５１】
また、この親機制御部２５０は、相手先の電話番号が非通知である旨を示す種別データ、国外の電話機など所定のエリアから発信された電話機であることを示す種別データ、または、公衆電話である旨の種別を示す種別データが入力されると、非通知種別データ、国外電話機種別データ、または、公衆電話機種別データを生成し、当該生成された国外電話機種別データまたは公衆電話機種別データを親機表示制御部１９０に出力するようになっている。
【００５２】
上記に加えて、この親機制御部２５０は、待機時、呼出時または通話時に設定キー２０２に基づく通話拒否応答の制御を行うようになっている。特に、この親機制御部２５０は、待機時には、押し下げられた回数によって通話拒否の応答態様を実行する電話機の種別を設定するようになっている。
【００５３】
具体的には、本実施形態の親機制御部２５０は、待機時には、設定キー２０２が一回押し下げられると、発信された電話機の電話番号が非通知である場合に通話拒否の応答態様を実行する状態（以下、「非通知拒否状態」という。）に設定するとともに、当該待機時に設定キー２０２が二回押し下げられると、発信された電話機の電話番号が非通知である場合、当該電話機の電話番号が国外、例えば、表示圏外である場合、または、当該電話機の種別が公衆電話機である場合に、通話拒否の応答態様を実行する状態（以下、「国外・公衆電話機拒否状態」という。）に設定するようになっている。また、この親機制御部２５０は、待機時に設定キー２０２が三回押し下げられると、発信された電話機の電話番号が非通知である場合、当該電話機の電話番号が国外である場合、または、当該電話機の種別が公衆電話機である場合に、通話拒否の応答態様を拒否する状態に加えて、電話帳に登録された電話番号以外からの電話に対して、通話拒否の応答態様を実行する状態（以下、「未登録電話機拒否状態」という。）に設定するとともに、待機時に設定キー２０２が四回押し下げられると、初期状態に、すなわち、すべての電話に対して呼出動作を行う状態（以下、「通常状態」という。）に設定するようになっている。
【００５４】
そして、この親機制御部２５０は、待機時に、非通知拒否状態、国外・公衆電話機拒否状態、および未登録電話機拒否状態の各拒否状態に設定されている際に、当該該当する電話番号または種別を有する電話機からの発信に基づいて着信が生じた際には、呼出音を鳴動させずに留守番電話応答を行わせるようになっている。
【００５５】
なお、待機時に設定キー２０２が押し下げられない場合には、親機制御部２５０は、通常状態を保持するようになっている。また、親機制御部２５０は、各拒否状態に設定すると、当該各拒否状態を示すデータ（以下、「拒否状態データ」という。）を親機ＲＯＭ／ＲＡＭ２６０に記憶するようになっている。
【００５６】
また、この親機制御部２５０は、待機時に、各拒否状態に設定されていない場合であっても、発信された電話機の電話番号が通話拒否番号データに該当する場合には、各拒否状態に設定されている場合と同様に、呼出音を鳴動させずに留守番電話応答を行わせるようになっている。
【００５７】
さらに、この親機制御部２５０は、呼出時および通話時に通話拒否の応答態様に切り換えられた場合には、親機ＲＯＭ／ＲＡＭ２６０に格納されている各状態に対応する所定のメッセージを送出するとともに、当該メッセージの送出後に送信された送話信号に基づく音声データを記憶、または、他の電話機との回線の切断を行うようになっている（以下、単に、切換動作という。）。特に、通話時に設定キー２０２が押し下げられると、この親機制御部２５０は、通話先の電話機が有する電話番号に対して、当該着信以降の着信について通話拒否の応答態様を実行するための電話番号データ（以下、「通話拒否番号データ」という。）として親機ＲＯＭ／ＲＡＭ２６０にある電話帳データに加えるようになっている。
【００５８】
なお、本実施形態の親機制御部２５０における待機時の非通知拒否状態、国外・公衆電話機拒否状態、未登録電話機拒否状態の各拒否状態の設定動作、当該各拒否状態の設定時の着信動作、および、呼出時または通話時の切換動作の詳細については後述する。
【００５９】
次に、図４を用いて本実施形態の親機制御部２５０における通話拒否設定の動作について説明する。なお、図４は、本実施形態の親機制御部２５０における通話拒否設定の動作を示すフローチャートである。また、以下の動作では、親機１００において、予め電源が投入されているとともに、待機時に行われる動作であるものとする。
【００６０】
まず、ユーザによって設定キー２０２が押し下げられると、親機制御部２５０は、当該設定キー２０２が押し下げられたことを検出するとともに（ステップＳ１１）、親機ＲＯＭ／ＲＡＭ２６０に記憶されている通話拒否状態を示すデータを読み出す（ステップＳ１２）。
【００６１】
次いで、親機制御部２５０は、読み出されたデータに基づいて現在の通話拒否状態が通常状態であるか否かを判断し（ステップＳ１３）、通話拒否状態であると判断した場合には、親機ＲＯＭ／ＲＡＭ２６０に記憶されている通話拒否状態を非通知拒否状態に設定し（ステップＳ１４）、本動作を終了する。
【００６２】
一方、親機制御部２５０は、現在の拒否状態が通常状態でないと判断した場合には、当該現在の通話拒否状態が非通知拒否状態であるか否かを判断し（ステップＳ１５）、非通知通話拒否状態であると判断した場合には、親機ＲＯＭ／ＲＡＭ２６０に記憶されている拒否状態データを国外・公衆電話機拒否状態に設定し（ステップＳ１６）、本動作を終了する。
【００６３】
他方、親機制御部２５０は、現在の拒否状態が非通知拒否状態でないと判断した場合には、当該現在の国外・公衆電話機拒否状態であるか否かを判断し（ステップＳ１７）、国外・公衆電話機拒否状態であると判断した場合には、親機ＲＯＭ／ＲＡＭ２６０に記憶されている拒否状態データを未登録電話機拒否状態に設定し（ステップＳ１８）、本動作を終了する。
【００６４】
次いで、親機制御部２５０は、現在の拒否状態が国外公衆電話機拒否状態でないと判断した場合には、親機ＲＯＭ／ＲＡＭ２６０に記憶されている拒否状態データを通常状態に設定し（ステップＳ１９）、本動作を終了する。
【００６５】
次に、図５に用いて本実施形態の親機制御部２５０の呼出時または通話時における通話拒否の応答態様の切換動作について説明する。
【００６６】
なお、図５は、本実施形態の親機制御部２５０の呼出時または通話時における通話拒否の応答態様の切換動作を示すフローチャートである。また、以下の動作では、発信者番号通知が為される親機１００において、予め電源が投入され、他の電話機の発信に基づく着信を待機している待機時に行われるものとする。さらに、本動作では、何れの通話拒否状態に設定されていないものとする。
【００６７】
まず、着信検出部１３０が外線接続端子Ｌに他の電話機の発信に基づく着信信号の入力を検出すると、着信検出部１３０は、着信信号の入力、すなわち、外線着信情報を親機制御部２５０に出力する（ステップＳ１０１）。
【００６８】
次いで、親機制御部２５０は、回線制御回路１２０に図示しない交換機との種々の信号の送受信を行わせて通信回線を確立させるとともに、通話回路１４０を制御して、入力された発信者番号に関する信号を親機ＤＳＰ１７０に受信させ、発信を行った相手先の電話機が有する電話番号または発信者名など各種の表示を表示部に行う（ステップＳ１０２）。
【００６９】
具体的には、親機制御部２５０は、親機ＤＳＰ１７０に受信させた信号に基づいて発信者番号データまたは各種の種別データを生成させるとともに、当該生成されたデータに基づいて相手先の電話番号または発信者名など各種の表示を表示部に行う。また、このときに、親機制御部２５０は、生成された発信者番号データを親機ＲＯＭ／ＲＡＭ２６０に記憶する。
【００７０】
次いで、親機制御部２５０は、親機ＤＳＰ１７０を制御し、呼出信号に基づいて予め設定された呼出音を呼出音拡声部２４０から拡声させる（ステップＳ１０３）。
【００７１】
次いで、親機制御部２５０は、ユーザによって何れかの操作が行われた否かを検出し（ステップＳ１０４）、ユーザによって何れかの操作が行われたことを検出すると、当該検出された操作が、ユーザによる設定キー２０２の押し下げが行われたか、または、ユーザによる親機送受話器２２０の着脱が行われたかを判断する（ステップＳ１０５）。
【００７２】
このとき、親機制御部２５０は、ユーザによる操作が設定キー２０２の押し下げの操作であると判断すると、呼出音拡声部２４０に呼出音の拡声を停止させるとともに（ステップＳ１０６）、通話回路１４０に相手先の電話機との通話路を形成させ、親機ＤＳＰ１７０に留守番電話応答を行わせる（ステップＳ１０７）。
【００７３】
次いで、親機制御部２５０は、通話回路１４０に確立された回線の切断を示す信号（以下、「切断信号」という。）が検出された否か、すなわち、通話路が切断されたか否かを判断させ（ステップＳ１０８）、通話路が切断されたことを検出すると、本動作を終了させる。なお、このとき、親機制御部２５０は、通話路が切断されたことが検出されると、回線制御回路１２０に交換機との回線を切断させる。
【００７４】
一方、ステップＳ１０５の処理において、親機制御部２５０は、ユーザによる親機送受話器２２０の着脱の操作であると判断すると、呼出音拡声部２４０に拡声している呼出音を停止させるとともに（ステップＳ１０９）、通話回路１４０を制御して相手先の電話機との通話路を形成させ、通話を開始させる（ステップＳ１１０）。
【００７５】
次いで、親機制御部２５０は、回線制御回路１２０に相手先の電話機によって通話路が切断されたか否か、すなわち、切断信号が検出されたか否かを判断させるとともに、ユーザによって親機送受話器２２０の装着が行われたか否か、および、ユーザによってユーザによる設定キー２０２の押し下げが為されたか否か、を検出し（ステップＳ１１１〜Ｓ１１３）、何れかの判断または検出が行われるまで予め設定された期間毎に当該処理を繰り返す。
【００７６】
ステップＳ１１１およびＳ１１２の処理において、親機制御部２５０は、通話回路１４０によって通話路が切断されたと判断されると、または、受話器の装着が行われたことを検出すると、本動作を終了させる。
【００７７】
なお、このとき、親機制御部２５０は、通話路が切断されたこと、または、受話器の装着が検出されると、回線制御回路１２０に交換機との通信回線を切断する。
【００７８】
一方、親機制御部２５０は、ユーザによる設定キー２０２の押し下げ操作を検出すると、親機ＤＳＰ１７０に留守番電話応答を行わせるとともに（ステップＳ１１４）、通話回路１４０に切断信号が検出されたか否かを判断させ（ステップＳ１１５）る。なお、このとき、親機制御部２５０は、通話路の切断が検出されると、回線制御回路１２０に交換機との通信回線を切断させる。
【００７９】
次いで、親機制御部２５０は、呼出時に取得された電話番号データの有無を判断し（ステップＳ１１６）、親機制御部２５０は、呼出時に取得された電話番号データがあると判断すると、親機ＲＯＭ／ＲＡＭ２６０に記憶された電話番号データを通話拒否番号データに登録し（ステップＳ１１７）て、または、当該電話番号データが無い場合には、そのまま、本動作を終了させる。
【００８０】
なお、本動作は、親機制御部２５０の処理として、すなわち、親機１００における呼出時または通話時における通話拒否の応答態様の切換動作として説明してあるが、子機無線送受信部３６０および親機無線送受信部１６０を介して親機１００における回線制御を行う以外は、子機３００についても上述と同様の処理となるので、その説明を省略する。
【００８１】
次に、図６および図７に用いて本実施形態の親機制御部２５０における通話拒否状態の応答態様の動作について説明する。なお、図６および図７は、本実施形態の親機制御部２５０における通話拒否状態の応答態様の動作を示すフローチャートである。また、以下の動作では、発信者番号通知が為される親機１００において、予め電源が投入され、他の電話機の発信に基づく着信を待機している待機時に行われるものとする。さらに、本動作開始前に予め何れかの通話拒否状態に設定されているものとする。
【００８２】
まず、着信検出部１３０が外線接続端子Ｌに他の電話機の発信に基づく着信信号の入力を検出すると、着信検出部１３０は、着信信号の入力、すなわち、着信を検出して外線着信情報を親機制御部２５０に出力する（ステップＳ２０１）。
【００８３】
次いで、親機制御部２５０は、回線制御回路１２０に図示しない交換機との種々の信号の送受信を行わせて通信回線を確立させるとともに、通話回路１４０を制御して、入力された発信者番号に関する信号を親機ＤＳＰ１７０に受信させ、発信を行った相手先の電話機が有する電話番号または発信者名など各種の表示を表示部に行う（ステップＳ２０２）。
【００８４】
次いで、親機制御部２５０は、親機ＲＯＭ／ＲＡＭ２６０を検索しつつ、発信を行った先の電話機が有する電話番号が、当該親機ＲＯＭ／ＲＡＭ２６０に記憶されている通話拒否番号データに登録されている電話番号であるか否か判断させる（ステップＳ２０３）。
【００８５】
このとき、親機制御部２５０は、発信を行った先の電話機が有する電話番号が、親機ＲＯＭ／ＲＡＭ２６０に記憶されている通話拒否番号データに登録されている電話番号である場合には、ステップＳ２１６の処理に移行させる。
【００８６】
一方、親機制御部２５０は、電話番号が親機ＲＯＭ／ＲＡＭ２６０に記憶されている通話拒否番号データに登録されていない場合には、親機ＲＯＭ／ＲＡＭ２６０に記憶されている拒否状態データに基づいて何れかの拒否状態であるか、すなわち、通話拒否状態、国外・公衆電話機拒否状態および未登録電話機拒否状態であるかを判断する（ステップＳ２０４）。
【００８７】
このとき、親機制御部２５０は、拒否状態データに基づいて拒否状態が非通知拒否状態であると判断すると、通話回路１４０を制御して入力された発信者番号に関する信号に基づいて、相手先の電話機が非通知にて発信したか否かを判断する（ステップＳ２０５）。
【００８８】
次いで、親機制御部２５０は、相手先の電話機が電話番号を非通知にして発信していると判断した場合には、ステップＳ２１５の処理に移行し、相手先の電話機が電話番号を非通知にて発信していないと、すなわち、当該相手先の電話機が電話番号を通知している場合には、または、電話番号が非通知であっても、当該相手先の電話機が公衆電話機である場合、または、国外の電話機である場合には、ステップＳ２１６の処理に移行させる。
【００８９】
一方、ステップＳ２０４の処理において、親機制御部２５０は、拒否状態データに基づいて拒否状態が国外・公衆電話機拒否状態であると判断すると、当該親機制御部２５０は、当該受信させた入力された発信者番号に関する信号に基づいて、相手先の電話機が非通知にて発信したか、国外の電話機から発信したか、および、公衆電話機から発信したかを判断する（ステップＳ２０６〜Ｓ２０８）。
【００９０】
次いで、親機制御部２５０は、相手先の電話機が電話番号を非通知にして発信していると判断した場合、当該相手先の電話機が国外の電話機であると判断した場合、および、当該相手先の電話機が公衆電話機であると判断した場合には、ステップＳ２１５の処理に移行し、相手先の電話機が電話番号を非通知にて発信していないと判断した場合であって、当該電話機が国外の電話機でも公衆電話機でもないと判断した場合には、ステップＳ２１６の処理に移行させる。
【００９１】
他方、ステップＳ２０４の処理において、親機制御部２５０は、拒否状態データに基づいて拒否状態が未登録電話機拒否状態であると判断すると、当該親機制御部２５０は、入力された発信者番号に関する信号に基づいて、相手先の電話機が非通知にて発信したか、国外の電話機から発信したか、公衆電話機から発信したか、および、親機ＲＯＭ／ＲＡＭ２６０を検索して当該親機ＲＯＭ／ＲＡＭ２６０に記憶されている電話帳データに登録されている電話番号であるか、を判断する（ステップＳ２０９〜Ｓ２１２）。
【００９２】
次いで、親機制御部２５０は、相手先の電話機が電話番号を非通知にて発信していると判断した場合、当該相手先の電話機が国外の電話機であると判断した場合、当該相手先の電話機が公衆電話機であると判断した場合、当該相手先の電話機の電話番号が通話拒否番号データに登録されている電話番号である判断した場合、および、当該相手先の電話機の電話番号が電話帳に登録されていない電話番号であると判断した場合は、ステップＳ２１５の処理に移行し、相手先の電話機が電話番号を通知して発信しており、当該電話機の電話番号が電話帳データに登録されている電話番号であると判断した場合には、ステップＳ２１６の処理に移行させる。
【００９３】
次いで、親機制御部２５０は、着信検出部１３０における着信信号の検出に基づいて、親機ＤＳＰ１７０を制御して予め設定された呼出音を呼出音拡声部２４０から拡声させ（ステップＳ２１３）、本動作を終了させる。
【００９４】
なお、親機制御部２５０は、呼出音を拡声した後に親機送受話器２２０の着脱が検出されると、通話回路１４０に相手先の電話機との通話路を形成させて通話を開始させ、通常の動作を行わせる。
【００９５】
一方、親機制御部２５０は、通話回路１４０を制御して相手先の電話機との通話路を形成し、親機ＤＳＰ１７０に留守番電話応答を行わせるとともに（ステップＳ２１６）、通話回路１４０に通話路が切断されたか否かを判断させ（ステップＳ２１７）、通話路が切断されたこと、すなわち、切断信号を検出すると、本動作を終了させる。このとき、親機制御部２５０は、切断信号が検出されると、回線制御回路１２０に交換機との通信回線を切断させる。
【００９６】
なお、本動作において、各通話拒否状態における留守番電話応答時の送出するメッセージは、各通話拒否状態毎に変更させるようになっており、親機制御部２５０は、当該通話拒否状態によって親機ＤＳＰ１７０に親機ＲＯＭ／ＲＡＭ２６０から読み出させる送出するメッセージを決定させるようになっている。
【００９７】
また、本動作は、親機制御部２５０の処理として、すなわち、親機１００における通話拒否状態の応答態様の動作として説明してあるが、子機無線送受信部３６０および親機無線送受信部１６０を介して親機１００における回線制御を行う以外は、子機３００についても上述と同様の処理となるので、その説明を省略する。
【００９８】
以上、本実施形態の親機１００は、他の電話機による発信に基づいて着信があった際に呼出を行う親機１００親機呼出音拡声部２４０と、呼出時または通話時の少なくとも何れか一方に通話拒否を行う応答態様に切り換えるためにのみ用いる設定キー２０２を有する親機操作部２００と、呼出時または通話時の少なくとも何れか一方に操作部によって応答態様が通話拒否の応答態様に切り換えられた際に、当該着信に対して当該通話拒否を行う応答態様を実行する親機ＤＳＰ１７０と、を備える構成を有している。
【００９９】
この構成より、本実施形態の親機１００は、呼出時または通話時の少なくとも何れか一方に通話拒否を行う応答態様に切り換える操作を、設定キー２０２を操作することのみによって行うことができるので、応答時における迷惑電話対策を行うための設定を行うことができるとともに、当該迷惑電話対策を行うための設定を簡易な操作によって行うことができる。
【０１００】
また、本実施形態の親機１００は、他の電話機の発信に基づく着信に対して応答態様を変化させて応答を行う電話機であって、着信時に着信された他の電話機の電話番号を示す番号情報または当該電話機の種別を示す種別情報の少なくとも何れか一方の情報を有する発信電話機情報を受信する親機ＤＳＰ１７０と、所定の電話番号を有する電話機または所定の種別に属する電話機の少なくとも何れか一方における発信に基づく着信に対して通話拒否の応答態様を行う設定に予め設定するためにのみ用いる設定キー２０２を有する親機操作部２００と、設定キー２０２によって通話拒否の応答態様を行う電話機が予め設定され、他の電話機の発信に基づいて着信が行われた場合に、受信された発信電話機情報に基づいて、通話拒否の応答態様を行うか否かを決定する親機制御部２５０と、を備え、親機ＤＳＰ１７０が、通話拒否を行うことが決定された場合に、予め定められた通話拒否を行う応答態様によって着信に対する応答を行う構成を有している。
【０１０１】
この構成により、本実施形態の親機１００は、通話時に通話拒否を行う応答態様に切り換える操作を、設定キー２０２のみによって予め行うことができるので、応答時における迷惑電話対策を行うための設定を行うことができるとともに、当該迷惑電話対策を行うための設定を簡易な操作によって行うことができる。
【０１０２】
なお、本実施形態では、通話拒否を行う応答態様が留守番電話機能により、発信者のメッセージを記憶するようになっているが、勿論、所定のメッセージを送出するだけで、当該発信者のメッセージを記憶しなくてもよい。
【０１０３】
また、本実施形態では、発信者番号通知の契約が為されている電話機について説明したが、当該発信者番号通知の契約が為されていない電話機についても上述と同様の動作を行うことができる。例えば、設定キー２０２の押しさげ回数にかかわらず、当該設定キー２０２によって通話拒否を行う応答態様に設定されているときは、所定のメッセージを送出し、留番電話機能によって応答するようになる。
【図面の簡単な説明】
【０１０４】
【図１】本願に係る電話機の親機の一実施形態における構成を示すブロック図である。
【図２】一実施形態における電話機の親機の概観斜視図である。
【図３】一実施形態における電話機の子機の構成を示すブロック図である。
【図４】一実施形態の親機制御部における通話拒否設定の動作を示すフローチャートである。
【図５】一実施形態の親機制御部の呼出時または通話時における通話拒否の応答態様の切換動作を示すフローチャートである。また、以下の動作では、発信者番号通知が
【図６】一実施形態の親機制御部における通話拒否状態の応答態様の動作を示すフローチャート（Ｉ）である。
【図７】一実施形態の親機制御部における通話拒否状態の応答態様の動作を示すフローチャート（II）である。
【符号の説明】
【０１０５】
１００  …  親機
１１０  …  検出回路
１２０  …  回線制御回路
１３０  …  着信検出部
１４０  …  通話回路
１５０  …  ダイヤル発信部
１６０  …  親機無線送受信部
１７０  …  親機ＤＳＰ
１８０  …  親機表示部
１９０  …  親機表示制御部
２００  …  親機操作部
２０１  …  ダイヤルキー
２０２  …  設定キー
２０３  …  オンフックキー
２０４  …  その他のキー
２１０  …  親機受話信号用増幅器
２２０  …  親機送受話器
２３０  …  親機送話信号用増幅器
２４０  …  呼出音拡声部
２５０  …  親機制御部
２６０  …  親機ＲＯＭ／ＲＡＭ
３６０  …  親機無線送受信部
３７０  …  子機ＤＳＰ
３８０  …  子機表示部
３９０  …  子機表示制御部
４００  …  子機操作部
４０１  …  ダイヤルキー
４０２  …  設定キー
４０３  …  オンフックキー
４０４  …  その他のキー
４１０  …  子機受話信号用増幅器
４２０  …  子機送受話器
４３０  …  子機送話信号用増幅器
４４０  …  呼出音拡声部
４５０  …  子機制御部
４６０  …  子機ＲＯＭ／ＲＡＭ
【図１】
2006237993.tif 000003
【図２】
2006237993.tif 000004
【図３】
2006237993.tif 000005
【図４】
2006237993.tif 000006
【図５】
2006237993.tif 000007
【図６】
2006237993.tif 000008
【図７】
2006237993.tif 000009